【事件の表示】
　特許第２６２９１５６号「施肥装置付き田植機」の特許に対する特許異議の申立てについて、次のとおり決定する。
【結論】
　訂正を認める。
　特許第２６２９１５６号の特許を維持する。
【理由】
１．手続の経緯
　本件特許第２６２９１５６号は、平成４年１２月１６日に出願された特願平４−３３５６７４号を特許法第４４条第１項の規定により二以上の発明を包含する特許出願の一部を新たな出願とした特願平８−４１５号に係り、平成９年４月１８日に設定登録がなされ、その後、特許異議の申立てが、ヤンマー農機株式会社（以下、申立人という。）よりなされ、取消理由が通知され、その指定期間内に訂正請求がなされ、さらに、訂正拒絶理由が通知されたところ、その指定期間内に訂正拒絶理由に対する手続補正書が提出されたものである。
２．訂正の適否についての判断
（２−１）訂正請求に対する補正の適否について
　特許権者は、訂正明細書中の【特許請求の範囲】の欄の第９〜１１行の「この肥料貯留部（１７）の下側位置に……支持された状態で」を『この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で』と補正し、それに伴い、発明の詳細な説明の記載を補正しようとするものである。
　上記補正は、訂正請求書の要旨を変更するものでないから、特許法第１２０条の４第３項において準用する同法第１３１条第２項の規定に適合する。
（２−２）訂正の内容
　本件訂正の趣旨は、本件特許の明細書を手続補正書により補正された訂正請求書に添付した訂正明細書のとおり訂正することを求めるにあり、その訂正の要旨は、次のように訂正しようとするものである。
▲１▼特許明細書の【特許請求の範囲】の欄の第３〜７行（本件特許公報第１欄第５〜１０行）の「苗植付機構（９）とを備え、かつ、……前記施肥装置（２）の繰り出し部（１２）に、」を、『苗植付機構（９）を備えた苗植付装置（１）とを備えてなる施肥装置付き田植機において、前記施肥装置（２）を、その肥料収納容器（１１）及び繰り出し部（１２）が、前記苗植付装置（１）に装備された苗植付機構（９）よりも上方に位置する状態に立設し、その施肥装置（２）の繰り出し部（１２）に、』と訂正する。
▲２▼同明細書の【課題を解決する手段】の欄の第３〜６行（本件特許公報第３欄第２３〜２６行）の「苗植付機構とを備え、かつ、……前記施肥装置の繰り出し部に、」を、『苗植付機構を備えた苗植付装置とを備えてなる施肥装置付き田植機において、前記施肥装置を、その肥料収納容器及び繰り出し部が、前記苗植付装置に装備された苗植付機構よりも上方に位置する状態に立設し、前記施肥装置の繰り出し部に、』と訂正する。
▲３▼同明細書の【特許請求の範囲】の欄の第１４行（本件特許公報第２欄第４行）の「傾斜させてある」を、『傾斜した滑らかな面で形成してある』と訂正する。
▲４▼同明細書の【課題を解決する手段】の欄の第１０行（本件特許公報第３欄第３３行）の「傾斜させてあることにある」を、『傾斜した滑らかな面で形成したことにある』と訂正する。
▲５▼同明細書の【特許請求の範囲】の欄の第１０行〜１２行（本件特許公報第１欄第１２〜１４行）の「この肥料貯留部（１７）の下側位置に……支持された状態で」を『この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で』と訂正する。
▲６▼同明細書の【課題を解決するための手段】の欄の第８〜１０行（本件特許公報第３欄第２７〜３０行）の「この肥料貯留部の下側位置に……支持された状態で」を、『この肥料貯留部に支持させて、肥料貯留部の下面に、前記苗植付機構の上方を覆う泥土の跳ね上げ阻止用の泥土避けカバーを、カバー上面側が固定された状態で』と訂正する。
▲７▼同明細書の【００１９】の欄の第９行〜１０行（本件特許公報第７欄第５〜７行）の「（ハ）施肥装置２への……の方で行う。」を、削除する。
（２−３）訂正の目的の適否、新規事項の有無及び拡張、変更の存否
　本件の特許請求の範囲を上記▲１▼、▲３▼、▲５▼の構成とすることは、願書に添付した明細書又は図面に記載された事項の範囲内において、特許請求の範囲を減縮することに相当し、発明の詳細な説明の欄を上記▲２▼、▲４▼、▲６▼、▲７▼のように訂正することは、願書に添付した明細書又は図面に記載された事項の範囲内において、前記のように特許請求の範囲の記載を訂正することにより不明りょうとなった記載を釈明することに相当する。
　また、本件訂正において、特許請求の範囲の記載及び発明の詳細な説明の欄の記載を前記のように訂正することは、実質上、特許請求の範囲を拡張し、又は、変更するものとは認められない。
（２−４）独立特許要件
　訂正された特許請求の範囲の請求項１に記載された事項を構成とする発明（以下、本件発明という。）は、下記「（２−４−２）取消理由通知について」において述べるように、本件発明がその出願前に頒布された下記刊行物１〜３記載の発明に基づいて当業者が容易に発明することができたものではなく、本件発明を本件特許出願の際独立して特許を受けることができないものとすることはできない。
（２−４−１）本件発明
　本件発明は、平成１１年７月２７日付け手続補正書（訂正請求書）に添付の明細書の【特許請求の範囲】の【請求項１】に記載された事項により特定される次のとおりのものである。
『肥料収納容器（１１）の下側に繰り出し部（１２）を備え、この繰り出し部（１２）の下方から繰り出された肥料を作溝器（１４）側へ流下案内する案内ホース（１３）を設けてある施肥装置（２）と、苗植付機構（９）を備えた苗植付装置（１）とを備えてなる施肥装置付き田植機において、
　前記施肥装置（２）を、その肥料収納容器（１１）及び繰り出し部（１２）が、前記苗植付装置（１）に装備された苗植付機構（９）よりも上方に位置する状態に立設し、
　その施肥装置（２）の繰り出し部（１２）に、流下途中の肥料を受け入れ可能な肥料貯留部（１７）を支持させ、この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で配設すると共に、
　この泥土避けカバー（１８）の後部（１８ａ）を前記肥料貯留部（１７）よりも後方に延出し、且つ、その後方側における泥土避けカバー（１８）の下向きの泥土避け面を最下端に至るまで斜め下方に傾斜した滑らかな面で形成してある施肥装置付き田植機。』
（２−４−２）取消理由通知について
　当審が通知した前記取消理由は、本件発明が本件出願前に頒布された下記刊行物１〜３に記載された発明に基づいて当業者が容易に発明をすることができたものであるから、本件特許が特許法第２９条第２項の規定に違反してされたというものである。
　　　　　　　　　記
刊行物１：実願昭６３−１４８３６１号（実開平２−７０６１８号公報）のマイクロフィルム（甲第１号証）
刊行物２：実公昭５４−２０３３１号公報（甲第３号証の１）
刊行物３：実願昭４９−７７０５１号（実開昭５１−３５２５号公報）のマイクロフィルム（甲第３号証の２）
　刊行物１には、肥料収納容器（貯留部６）の下側に繰り出し部（繰出し機構７）を備え、この繰り出し部の下方から繰り出された肥料を作溝器（９）側へ流下案内する案内ホース（８）を設けてある施肥装置と、苗植付機構とを備え、かつ、前記繰り出し部及び肥料収納容器が前記植付機構の上方に位置する状態に配設した苗植付装置を備える施肥装置付き田植機において、前記植付機構側に、流下途中の肥料を受け入れ可能な肥料貯留部（容器１２）を支持し、この肥料貯留部の下側位置に、前記苗植付機構の上方を覆う泥土の跳ね上げ阻止用の泥土避けカバー（泥除け板２３）を、カバー下面側から支持された状態で配設すると共に、この泥土避けカバーの後部を前記肥料貯留部よりも後方に延出し、且つ、その後方側における泥土避けカバーの下向きの泥土避け面を下方に延出させてある施肥装置付き田植機が記載されている。
刊行物２、３には、泥土避けカバー（カバー１７、ロータリーカバー４）を、その下向きの泥避け面より上側位置で支持させ、泥土避けカバーの下向きの泥土避け面を最下端に至るまで下方に傾斜させた播種装置付き耕耘機が記載されている。
　本件発明と上記刊行物１記載の発明とを対比すると、本件発明が、少なくとも、（ａ）「その施肥装置（２）の繰り出し部（１２）に、流下途中の肥料を受け入れ可能な肥料貯留部（１７）を支持させ、この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で配設」、即ち、肥料貯留部（１７）の下面に泥土避けカバー（１８）を一体に配設したのに対し、上記刊行物１記載の発明がこのような構成を有しない点で相違する。
　上記相違点（ａ）に関し、刊行物２，３を検討すると、泥土避けカバー（カバー１７、ロータリーカバー４）を、その下向きの泥避け面より上側位置で支持させたことが記載されているにとどまり、本件発明の構成要件である上記（ａ）、即ち、肥料貯留部（１７）の下面に泥土避けカバー（１８）を一体に配設したことが記載されていないし、示唆もされていない。
　したがって、刊行物１記載の発明に、刊行物２，３記載の発明を適用したとしても、本件発明の構成にはなりえず、本件発明が刊行物１〜３記載の発明に基づいて当業者が容易に発明をすることができたものとは認められない。
　本件発明は、上記相違点（ａ）の本件発明の構成、即ち、肥料貯留部と泥土避けカバーを一体に配設したことにより、肥料貯留部及び泥土避けカバーの掃除が簡単になるという格別の作用効果を奏する。
　よって、本件発明が刊行物１〜３に記載された発明に基づいて当業者が容易に発明をすることができたものではなく、本件特許が特許法第２９条第２項の規定に違反してなされたということはできない。
（２−５）むすび
　以上のとおりであるから、本件訂正請求は、平成６年法律第１１６号附則第６条第１項の規定によりなお従前の例によるとされる、特許法１２０条の４第２項、同条第３項の規定により準用する第１２６条第２〜４項の訂正に関する規定に適合するので、当該訂正は認められる。
３．特許異議の申立てについて
　訂正前の本件発明は、本件出願前に頒布された下記甲第１号証〜甲第５号証記載の発明に基づいて当業者が容易に発明をすることができたものであり、本件特許は特許法第２９条第２項の規定に違反してされたというものである。
　　　　　　　　　　記
甲第１号証：実願昭６３−１４８３６１号（実開平２−７０６１８号）のマイクロフイルム
甲第２号証：実願昭６２−１８８３１３号（実開平１−９０３２１号）のマイクロフィルム
甲第３号証の１：実公昭５４−２０３３１号公報
甲第３号証の２：実開昭５１−３５２５号公報
甲第４号証の１：特開平３−１７２１１３号公報
甲第４号証の２：特開平３−６７５１１号公報
甲第４号証の３：特開平３−８７１０８号公報
甲第５号証：実開平２−１００４１５号公報
　甲第１号証には、上記刊行物１記載のとおりの発明が記載されている。
　甲第２号証には、施肥装置付き田植機において、機枠４の前方に肥料ホッパ−１を架設し、機枠４の後方に植付機構の上方を覆う防泥カバー３を連結し架設したことが記載されている。
　甲第３号証の１、甲第３号証の２には、上記刊行物２、３記載のとおりの発明が記載されている。
　甲第４号証の１、甲第４号証の２、甲第４号証の３には、施肥装置付き田植機において、施肥装置の操り出し部に、流下途中の肥料を受け入れ可能な肥料貯留部を着脱自在にしたことが記載されている。
　甲第５号証には、施肥装置付き田植機において、泥除けカバーの下向きの泥除け面を斜め下方に傾斜したことが記載されている。
　本件発明と甲第１号証記載の発明とを対比すると、本件発明が、少なくとも、（ａ）「その施肥装置（２）の繰り出し部（１２）に、流下途中の肥料を受け入れ可能な肥料貯留部（１７）を支持させ、この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で配設」、即ち、肥料貯留部（１７）の下面に泥土避けカバー（１８）を一体に配設したのに対し、上記甲第１号証記載の発明がこのような構成を有しない点で相違する。
　上記相違点（ａ）に関し、甲第２号証〜甲第５号証を検討すると、いずれにも、本件発明の構成要件である上記（ａ）、即ち、肥料貯留部（１７）の下面に泥土避けカバー（１８）を一体に配設したことが記載されていないし、示唆もされていない。
　本件発明は、上記相違点（ａ）の本件発明の構成、即ち、肥料貯留部と泥土避けカバーを一体に配設したことにより、肥料貯留部及び泥土避けカバーの掃除が簡単になるという格別の作用効果を奏する。
　したがって、本件発明が上記甲第１号証〜甲第５号証記載の発明に基づいて容易に発明をすることができたものとは認められず、本件特許が特許法第２９条第２項の規定に違反してなされたということはできない。
４．むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年８月２６日（１９９９．８．２６）
【訂正の要旨】
訂正の要旨
（１）特許請求の範囲の減縮を目的として、特許明細書の【特許請求の範囲】の欄の第３〜７行（本件特許公報第１欄第５〜１０行）の「苗植付機構（９）とを備え、かつ、……前記施肥装置（２）の繰り出し部（１２）に、」を、『苗植付機構（９）を備えた苗植付装置（１）とを備えてなる施肥装置付き田植機において、前記施肥装置（２）を、その肥料収納容器（１１）及び繰り出し部（１２）が、前記苗植付装置（１）に装備された苗植付機構（９）よりも上方に位置する状態に立設し、その施肥装置（２）の繰り出し部（１２）に、』と訂正する。
（２）特許請求の範囲の記載と発明の詳細な説明の記載との整合を図るため、明りょうでない記載の釈明を目的として、同明細書の【課題を解決する手段】の欄の第３〜６行（本件特許公報第３欄第２３〜２６行）の「苗植付機構とを備え、かつ、……前記施肥装置の繰り出し部に、」を、『苗植付機構を備えた苗植付装置とを備えてなる施肥装置付き田植機において、前記施肥装置を、その肥料収納容器及び繰り出し部が、前記苗植付装置に装備された苗植付機構よりも上方に位置する状態に立設し、前記施肥装置の繰り出し部に、』と訂正する。
（３）特許請求の範囲の減縮を目的として、特許明細書の【特許請求の範囲】の欄の第１４行（本件特許公報第２欄第４行）の１傾斜させてある」を、『傾斜した滑らかな面で形成してある』と訂正する。
（４）特許請求の範囲の記載と発明の詳細な説明の記載との整合を図るため、明りょうでない記載の釈明を目的として、同明細書の【課題を解決する手段】の欄の第１０行（本件特許公報第３欄第３３行）の「傾斜させてあることにある」を、『傾斜した滑らかな面で形成したことにある』と訂正する。
（５）特許請求の範囲の減縮を目的として、特許明細書の【特許請求の範囲】の欄の第１０行〜１２行（本件特許公報第１欄第１２〜１４行）の「この肥料貯留部（１７）の下側位置に……支持された状態で」を『この肥料貯留部（１７）に支持させて、肥料貯留部（１７）の下面に、前記苗植付機構（９）の上方を覆う泥土の跳ね上げ阻止用の泥土避けカバー（１８）を、カバー上面側が固定された状態で』と訂正する。
（６）特許請求の範囲の記載と発明の詳細な説明の記載との整合を図るため、明りょうでない記載の釈明を目的として、同明細書の【課題を解決するための手段】の欄の第８〜１０行（本件特許公報第３欄第２７〜３０行）の「この肥料貯留部の下側位置に……支持された状態で」を、『この肥料貯留部に支持させて、肥料貯留部の下面に、前記苗植付機構の上方を覆う泥土の跳ね上げ阻止用の泥土避けカバーを、カバー上面側が固定された状態で』と訂正する。
（７）特許請求の範囲の記載と発明の詳細な説明の記載との整合を図るため、明りょうでない記載の釈明を目的として、特許明細書の【００１９】の欄の第９行〜１０行（本件特許公報第７欄第５〜７行）の「（ハ）施肥装置２への……の方で行う。」を、削除する。
（５４）【発明の名称】
施肥装置付き田植機
（５７）【特許請求の範囲】
　　【請求項１】　肥料収納容器（１１）の下側に繰り出し部（１２）を備え、この繰り出し部（１２）の下方から繰り出された肥料を作溝器（１４）側へ流下案内する案内ホース（１３）を設けてある施肥装置（２）と、苗植付機構（９）を備えた苗植付装置（１）とを備えてなる施肥装置付き田植機において、
　前記施肥装置（２）を、その肥料収納容器（１１）及び繰り出し部（１２）が、前記苗植付装置（１）に装備された苗植付機構（９）よりも上方に位置する状態に立設し、
　その施肥装置（２）の繰り出し部（１２）に、流下途中の肥料を受け入れ可能な肥料貯留部（１７）を支持させ、
この肥料貯留部（１７）に支持させて、
下面に、
上面側が固定された状態
　この泥土避けカバー（１８）の後部（１８ａ）を前記肥料貯留部（１７）よりも後方に延出し、且つ、その後方側における泥土避けカバー（１８）の下向きの泥土避け面を最下端に至るまで斜め下方に傾斜した滑らかな面で形成してある施肥装置付き田植機。
【発明の詳細な説明】
　【０００１】
　　【産業上の利用分野】
　本発明は、苗植付装置の苗植付機構の上方に施肥装置を配置した施肥装置付き田植機に関する。
　【０００２】
　　【従来の技術】
　前述のような施肥装置付き田植機の一例が実開平１−１５５７１５号公報に開示されている。この施肥装置付き田植機においては、苗植付機構の苗植付作動に伴って圃場の泥土が上方の施肥装置に跳ね上げられるのを防止する為に、苗植付機構の上方に泥土避けカバーを配置している。
　この場合、泥土避けカバーの支持部材は、苗植付機構を支持する伝動ケース側に設けられ、この支持部材によって泥土避けカバーは下方側から支持されている。
　【０００３】
　　【発明が解決しようとする課題】
のように泥土避けカバーが支持部材を介して伝動ケースに支持されていると、苗植付機構が泥土を跳ね上げた際に泥土が泥土避けカバーばかりではなく、支持部材にも付着することになる。従って、泥土避けカバーを取り外して掃除を行う場合、泥土避けカバーばかりでなく支持部材の泥土の除去を行う必要があり、この支持部材の泥土の除去も比較的複雑な形状をしている支持部材のために行い難いものになっている。
　本発明は施肥装置付き田植機において泥土避けカバーを備えた場合、泥土の除去を行い易くしてメンテナンスの簡便化を図ることを目的としている。
　【０００４】
　　【課題を解決するための手段】
　上記目的を達成するために講じた本発明の技術手段は、肥料収納容器の下側に繰り出し部を備え、この繰り出し部の下方から繰り出された肥料を作溝器側へ流下案内する案内ホースを設けてある施肥装置と、苗植付機構を備えた苗植付装置とを備えてなる施肥装置付き田植機において、前記施肥装置を、その肥料収納容器及び繰り出し部が、前記苗植付装置に装備された苗植付機構よりも上方に位置する状態に立設し、前記施肥装置の繰り出し部に、流下途中の肥料を受け入れ可能な肥料貯留部を支持し、
この肥料貯留部に支持させて、
下面に、
上面側が固定された状態
　【０００５】
　　【作用】
　本発明のように構成すると、苗植付機構の上方に配置される泥土避けカバーは、従来の構成のような苗植付機構の伝動ケースにではなく、苗植付機構の上方側に位置する施肥装置の繰り出し部に支持されることになる。
　【０００６】
　従って、苗植付機構が泥土を跳ね上げるのに伴い、施肥装置側への泥土の飛散を抑止するための泥土避けカバーの下向きの泥避け面には、跳ね上げられた泥土が付着するのに対して、泥土避けカバーを施肥装置に対して支持する部分は、泥土避けカバーの上方側に位置しているので、この部分への泥土の付着も、前記施肥装置側への泥土の飛散を防止するための泥土避けカバーによって防止される。
　【０００７】
　また、泥土避けカバーを施肥装置側に支持させるものであるから、繰り出し部や肥料貯留部を、最大限、泥土避けカバーに近づけた状態に設けることができる。したがって、泥の付着を回避したい肥料貯留部や繰り出し部に対する泥土避けカバーとして、比較的小面積で小型のカバーを用いながら、肥料貯留部や繰り出し部に対する効果的な泥避け効果を期待することができる。
　【０００８】
　さらに、泥土避けカバーの後部を肥料貯留部よりも後方に延出し、且つ、その後方側における泥土避けカバーの下向きの泥土避け面を最下端に至るまで斜め下方に傾斜させると、特に苗植付機構によって斜め後方上方に跳ね上げられる泥土を効果的に止めることができる。
　【０００９】
　そして、このように前記後方側における泥土避けカバーの下向きの泥土避け面は、前述のように泥土避けカバーを伝動ケースに支持する専用の支持部材が不要になることで、その下向きの泥土避け面側に前記支持部材の取り付け部等を形成する必要がなくなって平滑面に形成することができる。したがって、この平滑に形成される泥土避け面を最下端に至るまで斜め下方に傾斜させて配置することにより、苗植付機構によって跳ね上げられる泥水や泥土が、前記斜め下方に傾斜した平滑な泥土避け面に案内されて自然流下し、カバー後端から脱落する傾向を持つことになり、その下向きの泥土避け面に大量の泥土が付着した状態となることを避けられる。
　【００１０】
　　【発明の効果】
（イ）以上のように施肥装置付き田植機において、肥料貯留部への泥土の付着を防止する泥土避けカバーを備えるにあたり、泥土避けカバーの支持手段が泥土避けカバーの下側には存在しない。そのため、メンテナンスに際しては、肥料貯留部の掃除は必要ではなく、また、支持部材も存在しないのでこれの掃除も必要ではなく、泥土避けカバーそのものの泥土の掃除を行なうだけで、メンテナンスの際に必要な掃除を済ますことができ、その掃除が簡単になるという実用上の利点がある。
（ロ）しかも、泥土避けカバーを施肥装置側に支持させて、繰り出し部や肥料貯留部を、最大限、泥土避けカバーに近づけた状態に設けることができるので、泥土避けカバーとして比較的小面積で小型のカバーを用いながら、泥の付着を回避したい肥料貯留部や繰り出し部に対する泥土飛散を良好に回避することができる。
（ハ）また、泥土避けカバーの後部を肥料貯留部よりも後方に延出し、且つ、その後方側における泥土避けカバーの下向きの泥土避け面を最下端に至るまで斜め下方に傾斜させることで、特に苗植付機構によって斜め後方上方に跳ね上げられる泥土を効果的に止めることができるから、泥土避けカバーの下向きの泥土避け面を水平に形成したものに比べて、泥土避けカバー自身を特に大きなものに構成しなくても、苗植付機構によって跳ね上げられる泥土を広い範囲に亘って止めながら、泥土避けカバー自身の小型化及び軽量化を図ることができた。
（ニ）さらに、下側からの支えが不要であることにより、泥土避け面の平滑化を図ることが可能であることと、その泥土避け面自体が後下がりに傾斜していることとの相乗により、前述のように下向きの泥土避け面に大量の泥土が付着した状態となることを避けられるので、長時間にわたって連続使用することができるようになった。
　【００１１】
　　【実施例】
　図１及び図２に、本発明の施肥装置付き田植機における苗植付装置１及び施肥装置２を示している。苗植付装置１は、苗植付条毎にチェーンケース３からの動力によって回転する回転ケース４に２つの植付アーム５を設け、苗のせ台６に載置されたマット状苗７から、植付アーム５の端部に設けた植付爪８で苗を取り出して圃場に植え付けるように構成されている。この場合、回転ケース４、植付アーム５及び植付爪８により苗植付機構９が構成されており、整地フロート１０が備えられている。
　【００１２】
　施肥装置２は、肥料を貯留するためのホッパ１１（肥料収納容器に相当）の下部に設けた繰出ケース１２ａに繰出機構１２（繰り出し部に相当）によって、ホッパ１１内の肥料を所定量ずつ送り出し、この繰出機構１２の下部空間及び案内ホース１３、作溝器１４で形成される肥料供給経路を介して圃場面に肥料を送り込むように構成されている。
　【００１３】
　施肥装置２では図１から図５に示すように、繰出機構１２の下部に連結される経路切換ケース１５の下部に、肥料から分離した細粉を網体１６を介して回収する透明樹脂製の肥料計量カップ１７（肥料貯留部に相当）が接続されている。苗植付機構９からの泥土が施肥装置２に跳ね上がらないように阻止するための泥土避けカバー１８が備えられており、泥土避けカバー１８と一対の肥料計量カップ１７とが合成樹脂で一体に成型されて、泥土避けカバー１８が肥料計量カップ１７を介して施肥装置２に支持される状態となっている。
　泥土避けカバー１８の後部１８ａが肥料計量カップ１７よりも後方に延出され、且つ、その後方側における泥土避けカバー１８の下向きの泥土避け面を最下端に至るまで斜め下方に傾斜されている
　【００１４】
　図１及び図４に示すように、施肥装置２の肥料出口１５ａと作溝器１４とに亘り、肥料を施肥装置２から作溝器１４に供給する案内ホース１３が接続されており、図４及び図５に示すように、案内ホース１３に係合して案内ホース１３の位置を決める係合部が、施肥装置２の肥料出口１５ａの直下における泥土避けカバー１８の前縁部分に備えられている。前記泥土避けカバー１８０前縁部分に形成した係合部より前方下方に延出された状態で、案内ホース１３を保持する一対のホースガイド１９が、２つの苗植付条の位置に対応させて備えられており、ホースガイド１９も肥料計量カップ１７及び泥土避けカバー１８と一体に成型されている。
　【００１５】
　図３及び図５に示すように肥料計量カップ１７は上部が傾斜面に形成されており、この傾斜面に網体１６を着脱自在に設けて、肥料計量カップ１７を下方から挿入することで傾斜面の外縁部１７ａと、経路切換ケース１５の嵌合面１５ａとが嵌合するよう構成されている。図３に示すように形状を設定した嵌合部２０が肥料計量カップ１７に設けられており、嵌合部２０は経路切換ケース１５に設けられた被嵌合部２１に対して嵌脱自在に構成されている。
　【００１６】
　繰出機構１２における繰出ケース１２ａの左右外側面部の下部に、横軸芯周りで揺動操作自在な係止レバー２２が設けられており、係止レバー２２と係合する突片２３，２４が、経路切換ケース１５及び肥料計量カップ１７の各々の外面に突設されている。これにより、係止レバー２２と突片２３，２４との係合によって、繰出ケース１２ａと肥料計量カップ１７とが一体的に連結保持され、肥料計量カップ１７の保持に伴って、泥土避けカバー１８とホースガイド１９の位置保持も行われる。
　【００１７】
　図４に示すようにホッパ１１の下部に、ホッパ１１内にある肥料の重量を計量する荷重検出センサ２５が設けられている。荷重検出センサ２５の検出信号が機体に備えられた制御装置２６に入力されており、苗植付機構９の作動の入切操作を行う植付レバー２７の作動状態を検出するリミットスイッチ２８の信号も、制御装置２６に入力されている。機体に備えられた操縦パネル２９の表示部に荷重検出センサ２５で検出された肥料の重量をデジタル表示する表示手段３０に、苗植付機構９を作動入り状態に操作してから作動切り状態に操作するまでに減少したホッパ１１内の肥料の重量に基づいて、ホッパ１１内の肥料の残量が植付行程の何行程分あるかを表示するように、制御装置２６が構成されている。
　【００１８】
　この場合に制御装置２６は、植付レバー２７が入り操作された時点のリミットスイッチ２８の検出信号で荷重検出センサ２５の検出信号を記憶し、次に植付レバー２７の切り操作された時点のリミットスイッチ２８の検出信号で荷重センサ２５の検出信号を記憶して、両方の検出信号の差により後の検出信号を割り算することで、肥料のホッパ１１内の残量が植付行程の何行程分あるかを表示するように構成されており、表示手段３０の表示をリセットするリセットボタン３１も備えられている。
　【００１９】
　本発明は、次のように実施しても良い。
（イ）前述の発明の実施の形態では、一対の肥料計量カップ１７と１つの泥土避けカバー１８とを一体に成型した構造のものを示したが、１つの肥料計量カップ１７と１つの泥土避けカバー１８とを一体に成型する。この場合、泥土避けカバー１８は苗植付条の１条分の幅に設定する。
（ロ）ホースガイド１９は肥料計量カップ１７や泥土避けカバー１８とは別体に
構成する。
　【００２０】
　尚、特許請求の範囲の項に図面との対照を便利にする為に符号を記すが、該記入により本発明は添付図面の構成に限定されるものではない。
【図面の簡単な説明】
　　【図１】
　施肥装置及び苗植付装置を示す側面図
　　【図２】
　施肥装置及び苗植付装置を示す背面図
　　【図３】
　施肥装置の繰出機構、肥料計量カップ及び泥土避けカバー付近の縦断背面図
　　【図４】
　施肥装置の繰出機構、肥料計量カップ及び泥土避けカバー付近の縦断側面図
　　【図５】
　肥料計量カップ、泥土避けカバー及びホースガイドを示す斜視図
　【符号の説明】
１　　　　苗植付装置
２　　　　施肥装置
９　　　　苗植付機構
１１　　　肥料収納容器
１２　　　繰り出し部
１３　　　案内ホース
１４　　　作溝器
１７　　　肥料貯留部
１８　　　泥土避けカバー